【手続補正書】
【提出日】平成22年11月16日(2010.11.16)
【手続補正１】
【補正対象書類名】特許請求の範囲
【補正対象項目名】全文
【補正方法】変更
【補正の内容】
【特許請求の範囲】
【請求項１】
開口部を備え現像剤を収容する現像容器と、
第１の導電性支持体を備え、前記開口部で現像剤を担持する現像剤担持体と、
前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、
像担持体上に作像される画像ドット数を計数する画像ドット計数手段と、
を有し、
非画像形成時に前記第１の導電性支持体と前記第２の導電性支持体との間で静電容量を検知することで、前記現像容器内の現像剤量を測定する現像剤量測定装置を備えた画像形成装置において、
少なくとも前記画像ドット数の値から前記現像剤量測定装置による測定動作の開始を制御することを特徴とする画像形成装置。
【請求項２】
開口部を備え現像剤を収容する現像容器と、
第１の導電性支持体を備え、前記開口部で現像剤を担持する現像剤担持体と、
前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、
像担持体上に作像される画像ドット数を計数する画像ドット計数手段と、
を有し、
非画像形成時に前記第１の導電性支持体と前記第２の導電性支持体との間で静電容量を検知することで、前記現像容器内の現像剤量を測定する現像剤量測定装置を備えた画像形成装置において、
前記画像ドット数の値と、
前記現像剤量測定装置による測定値から、
前記現像剤量測定装置による測定動作の開始を制御することを特徴とする画像形成装置。
【請求項３】
開口部を備え現像剤を収容する現像容器と、
第１の導電性支持体を備え、前記開口部で現像剤を担持する現像剤担持体と、
前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、
像担持体上に作像される画像ドット数を計数する画像ドット計数手段と、
を有し、
非画像形成時に前記第１の導電性支持体と前記第２の導電性支持体との間で静電容量を検知することで、前記現像容器内の現像剤量を測定する現像剤量測定装置を備えた画像形成装置において、
前記画像ドット数の値と前記現像剤量測定装置による測定値を比較した結果から、連続プリント中に画像形成を中断し、前記現像剤量測定装置に測定動作を行わせる制御手段とを備えることを特徴とする画像形成装置。
【請求項４】
開口部を備え現像剤を収容する現像容器と、
第１の導電性支持体を備え、前記開口部で現像剤を担持する現像剤担持体と、
前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、
画像形成装置がプリントした枚数を記憶するプリント枚数記憶手段と、
を有し、
非画像形成時に前記第１の導電性支持体と前記第２の導電性支持体との間で静電容量を検知することで、前記現像容器内の現像剤量を測定する現像剤量測定装置を備えた画像形成装置において、
少なくとも前記プリント枚数記憶手段の値から前記現像剤量測定装置による測定動作の開始を制御することを特徴とする画像形成装置。
【請求項５】
開口部を備え現像剤を収容する現像容器と、
第１の導電性支持体を備え、前記開口部で現像剤を担持する現像剤担持体と、
前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、
画像形成装置がプリントした枚数を記憶するプリント枚数記憶手段と、
を有し、
非画像形成時に前記第１の導電性支持体と前記第２の導電性支持体との間で静電容量を検知することで、前記現像容器内の現像剤量を測定する現像剤量測定装置を備えた画像形成装置において、
前記プリント枚数記憶手段の値と前記現像剤量測定装置による測定値から前記現像剤量測定装置による測定動作の開始を制御することを特徴とする画像形成装置。
【請求項６】
開口部を備え現像剤を収容する現像容器と、
第１の導電性支持体を備え、前記開口部で現像剤を担持する現像剤担持体と、
前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、
画像形成装置がプリントした枚数を記憶するプリント枚数記憶手段と、
を有し、
非画像形成時に前記第１の導電性支持体と前記第２の導電性支持体との間で静電容量を検知することで、前記現像容器内の現像剤量を測定する現像剤量測定装置を備えた画像形成装置において、
前記プリント枚数記憶手段の値と前記現像剤量測定装置による測定値を比較した結果から、連続プリント中に画像形成を中断し、前記現像剤量測定装置に測定動作を行わせる制
御手段とを備えることを特徴とする画像形成装置。
【請求項７】
前記画像ドット計数手段で測定した画像ドット数を記憶する画像ドット記憶手段を備えることを特徴とする請求項１〜３のいずれか１項に記載の画像形成装置。
【請求項８】
前記現像剤量測定装置は前記像担持体と前記現像剤担持体とが離間した状態で測定動作をすることを特徴とする請求項１〜３のいずれか１項に記載の画像形成装置。
【請求項９】
前記現像剤量測定装置の測定結果を記憶する現像剤量記憶手段を備えることを特徴とする請求項１〜８のいずれか１項に記載の画像形成装置。
【手続補正２】
【補正対象書類名】明細書
【補正対象項目名】００２３
【補正方法】変更
【補正の内容】
【００２３】
上記目的を達成するために本発明にあっては、開口部を備え現像剤を収容する現像容器と、第１の導電性支持体を備え、前記開口部で現像剤を担持する現像剤担持体と、前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、像担持体上に作像される画像ドット数を計数する画像ドット計数手段と、を有し、非画像形成時に前記第１の導電性支持体と前記第２の導電性支持体との間で静電容量を検知することで、前記現像容器内の現像剤量を測定する現像剤量測定装置を備えた画像形成装置において、少なくとも前記画像ドット数の値から前記現像剤量測定装置による測定動作の開始を制御することを特徴とする。
【手続補正３】
【補正対象書類名】明細書
【補正対象項目名】００２４
【補正方法】変更
【補正の内容】
【００２４】
また、開口部を備え現像剤を収容する現像容器と、第１の導電性支持体を備え、前記開口部で現像剤を担持する現像剤担持体と、前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、像担持体上に作像される画像ドット数を計数する画像ドット計数手段と、を有し、非画像形成時に前記第１の導電性支持体と前記第２の導電性支持体との間で静電容量を検知することで、前記現像容器内の現像剤量を測定する現像剤量測定装置を備えた画像形成装置において、前記画像ドット数の値と、前記現像剤量測定装置による測定値から、前記現像剤量測定装置による測定動作の開始を制御することを特徴とする。
【手続補正４】
【補正対象書類名】明細書
【補正対象項目名】００２５
【補正方法】変更
【補正の内容】
【００２５】
また、開口部を備え現像剤を収容する現像容器と、第１の導電性支持体を備え、前記開口部で現像剤を担持する現像剤担持体と、前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、像担
持体上に作像される画像ドット数を計数する画像ドット計数手段と、を有し、前記第１の導電性支持体と前記第２の導電性支持体との間で静電容量を検知することで、前記現像容器内の現像剤量を測定する現像剤量測定装置を備えた画像形成装置において、前記画像ドット数の値と前記現像剤量測定装置による測定値を比較した結果から、連続プリント中に画像形成を中断し、前記現像剤量測定装置に測定動作を行わせる制御手段とを備えることを特徴とする。
【手続補正５】
【補正対象書類名】明細書
【補正対象項目名】００２６
【補正方法】変更
【補正の内容】
【００２６】
また、開口部を備え現像剤を収容する現像容器と、第１の導電性支持体を備え、前記開口部で現像剤を担持する現像剤担持体と、前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、画像形成装置がプリントした枚数を記憶するプリント枚数記憶手段と、を有し、非画像形成時に前記第１の導電性支持体と前記第２の導電性支持体との間で静電容量を検知することで、前記現像容器内の現像剤量を測定する現像剤量測定装置を備えた画像形成装置において、少なくとも前記プリント枚数記憶手段の値から前記現像剤量測定装置による測定動作の開始を制御することを特徴とする画像形成装置。
【手続補正６】
【補正対象書類名】明細書
【補正対象項目名】００２７
【補正方法】変更
【補正の内容】
【００２７】
また、開口部を備え現像剤を収容する現像容器と、第１の導電性支持体を備え、前記開口部で現像剤を担持する現像剤担持体と、前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、画像形成装置がプリントした枚数を記憶するプリント枚数記憶手段と、を有し、非画像形成時に前記第１の導電性支持体と前記第２の導電性支持体との間で静電容量を検知することで、前記現像容器内の現像剤量を測定する現像剤量測定装置を備えた画像形成装置において、前記プリント枚数記憶手段の値と前記現像剤量測定装置による測定値から前記現像剤量測定装置による測定動作の開始を制御することを特徴とする。
【手続補正７】
【補正対象書類名】明細書
【補正対象項目名】００２８
【補正方法】変更
【補正の内容】
【００２８】
また、開口部を備え現像剤を収容する現像容器と、第１の導電性支持体を備え、前記開口部で現像剤を担持する現像剤担持体と、前記現像容器の内部に前記現像剤担持体に接触して設けられ、第２の導電性支持体と、該第２の導電性支持体のまわりに設けられた発泡層と、を備え、前記現像剤担持体に現像剤を供給する回動可能な現像剤供給部材と、画像形成装置がプリントした枚数を記憶するプリント枚数記憶手段と、を有し、前記第１の導電性支持体と前記第２の導電性支持体との間で静電容量を検知することで、前記現像容器内の現像剤量を測定する現像剤量測定装置を備えた画像形成装置において、前記プリント枚数記憶手段の値と前記現像剤量測定装置による測定値を比較した結果から、連続プリン
ト中に画像形成を中断し、前記現像剤量測定装置に測定動作を行わせる制御手段とを備えることを特徴とする。